(57)【要約】【課題】高気密化が要求されないビル空調、工場空調などの交換頻度の高い粗塵・中性能フィルタを、簡単に交換でき、扉を閉めるだけでフィルタを締め付けて固定することができるフィルタ装置を提供する。【解決手段】フィルタ装置１は、開口部４を開閉可能に閉鎖し押さえ部材７０を有する扉５と、フィルタ３を挿入する際にフィルタ挿入方向Ｘ１に沿って案内するフィルタ保持手段１００と、フィルタ３をケーシング２内の当接用部材２３に押し付けて密着させるフィルタ装着機構３０を有し、このフィルタ装着機構３０は、フィルタ保持手段１００に沿って配置されフィルタ挿入方向Ｘ１と平行に移動可能な可動部材５１と、扉５によりケーシング２の開口部４を閉鎖して扉５の押さえ部材７０により可動部材５１を移動させることでフィルタ３に対して押し付けられる押付部材５５を有する。【選択図】図２
2011020095.tif 000002
【特許請求の範囲】
【請求項１】
ケーシング内にフィルタが着脱可能に装着されるフィルタ装置であって、
前記ケーシング内に前記フィルタを出し入れするための開口部を開閉可能に閉鎖し、押さえ部材を有する扉と、
前記ケーシング内で前記フィルタを保持するフィルタ保持手段と、
前記フィルタ保持手段に沿って挿入された前記フィルタを前記ケーシング内の当接用部材に押し付けて密着させるフィルタ装着機構と、を有し、
前記フィルタ装着機構は、
前記フィルタ保持手段に沿ってフィルタ挿入方向と平行に移動可能な可動部材と、
前記扉により前記ケーシングの前記開口部を閉鎖して前記扉の前記押さえ部材により前記可動部材を移動させることで、前記フィルタ側に押し付けられる押付部材と、を有することを特徴とするフィルタ装置。
【請求項２】
前記フィルタ保持手段は、前記フィルタの第１端部を保持する第１保持部材と、前記フィルタの前記第２端部を保持する第２保持部材を有し、
前記可動部材と前記押付部材は、前記フィルタの第１端部と、前記フィルタの前記第１端部とは反対側の第２端部に対応してそれぞれ配置されていることを特徴とする請求項１に記載のフィルタ装置。
【請求項３】
前記フィルタ装着機構は、
前記フィルタ保持手段に固定されて、前記可動部材に重ね合わせられる固定部材と、
第１リンク部材と第２リンク部材と、を有し、
前記押付部材は、前記第１リンク部材の第１端部と前記第２リンク部材の第１端部に取り付けられ、
前記第１リンク部材の第２端部と前記第２リンク部材の第２端部は、前記可動部材と前記固定部材に取り付けられており、
前記扉の前記押さえ部材により押して前記可動部材を、前記固定部材に対して移動させて、前記第１リンク部材の前記第２端部と前記第２リンク部材の前記第２端部の間隔を減少させることで、前記押付部材が前記フィルタ側に前進して前記フィルタに押し付けられることを特徴とする請求項１または請求項２に記載のフィルタ装置。
【請求項４】
前記扉を前記ケーシングに対して開閉可能に取り付けるヒンジと、
前記扉により前記ケーシングの前記開口部を閉鎖した状態で前記扉を前記ケーシングに固定する扉固定部と、を有することを特徴とする請求項１〜請求項３のいずれか１つの項に記載のフィルタ装置。
【請求項５】
前記ケーシング内の前記当接用部材は、前記フィルタの下流側に配置されているフィルタ取付フレームであることを特徴とする請求項１〜請求項４のいずれか１つの項に記載のフィルタ装置。
【発明の詳細な説明】
【技術分野】
【０００１】
本発明は、フィルタを内蔵するフィルタ装置に関し、特にビル空調、工場空調などの空調に用いられ数ヶ月の交換サイクルで交換される交換頻度の高い粗塵・中性能フィルタを簡単に締め付けて固定することができ、容易に交換することができるフィルタ装置に関する。
【背景技術】
【０００２】
フィルタ装置のチャンバーは、フィルタ特性を維持するため、フィルタの保持を確実に行え、しかも内部にかかる風圧力に耐えうる材質、板厚、構造からなる箱体である。フィルタ装置のチャンバー内にはフィルタからの空気の漏洩を防止するフィルタの締付固定装置が必要である。
従来の締付固定装置としては、特許文献１に開示されているフィルタ取付フレームに対してスタッドボルトを立てて金具をナットで締め付けするスタッドボルト方式や、特許文献２に開示されている箱体の外部からフィルタと平行に伸びたシャフトに偏心カムを上下２個取り付けて、これらの偏心カムを回転させてフィルタを圧着するカム方式のものなどがある。
【先行技術文献】
【特許文献】
【０００３】
【特許文献１】特開平１０−１４１７５８号公報
【特許文献２】特開平７−１３６４３６号公報
【発明の概要】
【発明が解決しようとする課題】
【０００４】
ところが、チャンバー内においてフィルタを一度締め付けて固定して、半年、１年またはそれ以上の期間、フィルタの交換しない高性能フィルタを適用する場合がる。すなわち原子力産業分野における放射性同位元素（ＲＩ）を含んだ汚染ガスなどをフィルタに通す対象とする場合には、漏洩防止の信頼性が高い方法として特許文献１と特許文献２に記載された締付固定装置が有益である。
【０００５】
しかし、特許文献１に記載された締付固定装置では、ナットにより金具に対して強く締め付ける。特許文献２に記載された締付固定装置では、偏心カムを回転させるには大きなトルクが必要である。従って、特許文献１と特許文献２に記載された締付固定装置を用いて、ビル空調、工場空調などの交換頻度の高い粗塵・中性能フィルタを締付して固定する場合には、フィルタの交換に時間がかかりすぎ、大掛かりな締付機構が必要で作業が面倒であるといった課題があった。
【０００６】
従来、高気密化が要求されないビル空調、工場空調などの交換頻度の高い粗塵・中性能フィルタを固定する場合には、単にフィルタをチャンバー内に差し込んでいただけでフィルタのガスケットはチャンバー側に密着されておらず、フィルタは使用時に空気圧でガスケット側にある程度変形されていた。このため、フィルタのシールが不足し、密着性が不十分であった。
そこで、本発明は、上記課題を解消するために、高性能フィルタや原子力産業分野における放射性同位元素（ＲＩ）を含んだ汚染ガスなどのような高気密化が要求されるフィルタ装置とは異なり、高気密化が要求されないビル空調、工場空調などの交換頻度の高い粗塵・中性能フィルタを、簡単に交換でき、扉を閉めるだけでフィルタを締め付けて固定することができるフィルタ装置を提供することを目的とする。
【課題を解決するための手段】
【０００７】
本発明のフィルタ装置は、ケーシング内にフィルタが着脱可能に装着されるフィルタ装置であって、前記ケーシング内に前記フィルタを出し入れするための開口部を開閉可能に閉鎖し、押さえ部材を有する扉と、前記ケーシング内で前記フィルタを保持するフィルタ保持手段と、前記フィルタ保持手段に沿って挿入された前記フィルタを前記ケーシング内の当接用部材に押し付けて密着させるフィルタ装着機構と、を有し、前記フィルタ装着機構は、前記フィルタ保持手段に沿ってフィルタ挿入方向と平行に移動可能な可動部材と、前記扉により前記ケーシングの前記開口部を閉鎖して前記扉の前記押さえ部材により前記可動部材を移動させることで、前記フィルタ側に押し付けられる押付部材と、を有することを特徴とする。
【０００８】
上記構成によれば、高性能フィルタや原子力産業分野における放射性同位元素（ＲＩ）を含んだ汚染ガスなどのような高気密化が要求されるフィルタ装置とは異なり、高気密化が要求されないビル空調、工場空調などの交換頻度の高い粗塵・中性能フィルタを、簡単に交換でき、扉を閉めるだけでフィルタを締め付けて固定することができる。
【０００９】
本発明のフィルタ装置では、前記フィルタ保持手段は、前記フィルタの第１端部を保持する第１保持部材と、前記フィルタの前記第２端部を保持する第２保持部材を有し、前記可動部材と前記押付部材は、前記フィルタの第１端部と、前記フィルタの前記第１端部とは反対側の第２端部に対応してそれぞれ配置されていることを特徴とする。
上記構成によれば、フィルタの第１端部と第２端部は、第１保持部材と第２保持部材によりフィルタをフィルタ挿入方向に沿って容易に挿入し、あるいは容易に取り出すことができる。そして、フィルタの第１端部と第２端部は、チャンバー内において押付部材によりそれぞれ確実に押し付けることで締め付けて固定できる。
【００１０】
本発明のフィルタ装置では、前記フィルタ装着機構は、前記フィルタ保持手段に固定されて、前記可動部材に重ね合わせられる固定部材と、第１リンク部材と第２リンク部材と、を有し、前記押付部材は、前記第１リンク部材の第１端部と前記第２リンク部材の第１端部に取り付けられ、前記第１リンク部材の第２端部と前記第２リンク部材の第２端部は、前記可動部材と前記固定部材に取り付けられており、前記扉の前記押さえ部材により押して前記可動部材を、前記固定部材に対して移動させて、前記第１リンク部材の前記第２端部と前記第２リンク部材の前記第２端部の間隔を減少させることで、前記押付部材が前記フィルタ側に前進して前記フィルタに押し付けられることを特徴とする。
上記構成によれば、簡単な構造でありながら、フィルタをチャンバー内にフィルタ挿入方向に沿って挿入して扉を閉めるだけで、フィルタは、チャンバー内において押付部材によりそれぞれ確実に押し付けることで締め付けて固定できる。
【００１１】
本発明のフィルタ装置では、前記扉を前記チャンバーに対して開閉可能に取り付けるヒンジと、前記扉により前記チャンバーの前記開口部を閉鎖した状態で前記扉を前記チャンバーに固定する扉固定部と、を有することを特徴とする。
上記構成によれば、扉固定部は、扉を閉めた状態を維持することができ、フィルタは、チャンバー内において押付部材によりそれぞれ確実に押し付けることで締め付けて固定する状態を維持できる。
【００１２】
本発明のフィルタ装置では、前記チャンバー内の前記当接用部材は、前記フィルタの下流側に配置されているフィルタ取付フレームであることを特徴とする。
上記構成によれば、フィルタはチャンバー内のフィルタ取付フレームに対して密着した状態を維持でき、フィルタのシール性を確保できる。
【発明の効果】
【００１３】
本発明によれば、高性能フィルタや原子力・ＲＩ用フィルタのような高気密化が要求されるフィルタ装置とは異なり、高気密化が要求されないビル空調、工場空調などの交換頻度の高い粗塵・中性能フィルタを、簡単に交換でき、扉を閉めるだけでフィルタを締め付けて固定することができるフィルタ装置を提供することができる。
【図面の簡単な説明】
【００１４】
【図１】本発明のフィルタ装置の好ましい実施形態を示す斜視図である。
【図２】図１に示すフィルタ装置のケーシング内にフィルタを挿入しようとしている状態を示す斜視図である。
【図３】図３（Ａ）は、ケーシングの正面部を示し、図３（Ｂ）は、背面部を示す図である。
【図４】図４（Ａ）は、ケーシングの側面部を示し、図４（Ｂ）は、ケーシングの側面部を示す図である。
【図５】図３（Ａ）に示す扉固定部の構造例を示す図である。
【図６】図２に示すケーシングの内部構造と、ケーシング内に配置されたフィルタを示す図である。
【図７】代表例として、第２操作部と第２保持部材と第２収納ボックスから成るユニットを示す斜視図である。
【図８】第２操作部から第２収納ボックスを取り除いた状態を示す斜視図である。
【図９】リンク固定板と、リンク可動レバーと、２つのリンクフレームと、スプリングと、押付リングと、スペーサを示す分解斜視図である。
【図１０】下側の第２操作部と第２保持部材と第２収納ボックスから成るユニットと点検扉を代表して示す斜視図である。
【図１１】フィルタを締め付ける前の状態を示す図である。
【図１２】フィルタを締め付けた後の状態を示す図である。
【発明を実施するための形態】
【００１５】
以下に、本発明の好ましい実施形態を、図面を参照して詳しく説明する。
図１は、本発明のフィルタ装置の好ましい実施形態を示す斜視図である。図２は、図１に示すフィルタ装置のケーシング内にフィルタをフィルタ挿入方向Ｘ１に沿って挿入しようとしている状態を示す斜視図である。
図１に示すフィルタ装置１は、直方体形状を有するケーシング（もしくはチャンバーともいう）２と、フィルタ３を有している。このフィルタ３は、ケーシング２内に挿入して、着脱可能に固定される。
【００１６】
図１に示すケーシング２の材質としては、例えばガルバニウム鋼板、メッキ鋼板（亜鉛、アルミ合金）、ステンレスを使用し、無溶接でリベット構造とすることで無塗装とすることができる。図１と図２に示すように、ケーシング２は、正面部２Ａ、背面部２Ｂ、側面部２Ｃ、２Ｄ、２Ｅ、２Ｆと点検扉５を有している。正面部２Ａと背面部２Ｂは対面しており、Ｙ−Ｚ平面と平行である。側面部２Ｃと側面部２Ｄは対面しており、Ｘ−Ｙ平面と平行である。側面部２Ｅと側面部２Ｆは対面しており、Ｘ−Ｚ平面と平行である。側面部２Ｅは気流の上流側であり、側面部２Ｆは気流の下流側である。
【００１７】
図３（Ａ）は、ケーシング２の正面部２Ａを示し、図３（Ｂ）は、背面部２Ｂを示している。図４（Ａ）は、ケーシング２の側面部２Ｅを示し、図４（Ｂ）は、ケーシング２の側面部２Ｃを示している。
図１と図２と図３（Ａ）に示すように、正面部２Ａには、長方形状の開口部である点検扉収納空間部４と、この点検扉収納空間部４を開閉自在に閉鎖するための点検扉５が設けられている。この点検扉５は、扉の一例であり、点検扉５は図１と図３（Ａ）に示す回転軸ＣＬを中心として、点検扉収納空間部４を図１に示すＲ方向に沿って開閉可能に支持されている。回転軸ＣＬはＺ方向に平行である。図３（Ａ）に示す点検扉５は、扉固定部６を用いて、ケーシング２の正面部２Ａに対して確実に固定できるようになっている。この扉固定部６の構造例は、後で説明する。
【００１８】
図１と図２と図４（Ａ）に示すように、側面部２Ｅは矩形の開口部７を有し、図１と図２に示すように、側面部２Ｆは矩形の開口部８を有している。図示しないが、開口部７は、上流側のダクトと接続するための接続口であり、開口部８は、下流側のダクトを接続するための接続口である。
図２に示す直方体形状を有するフィルタ３は、好ましくは高気密化が要求されないビル空調、工場空調などの交換頻度の高い粗塵・中性能フィルタである。フィルタ３は、プレフィルタ３Ａと、中性能フィルタ３Ｂと、ガスケットパッキン３Ｃと、プレフィルタ３Ａの枠体３Ａｐ，３Ａｃ，３Ａｑ，３Ａｄと、中性能フィルタ３Ｂの枠体３Ｂｐ，３Ｂｃ，３Ｂｑ，３Ｂｄを有している。プレフィルタ３Ａの枠体３Ａｐ，３Ａｃ，３Ａｑ，３Ａｄは、プレフィルタ３Ａの４つの側面部に密着するようにして保持している。同様にして、中性能フィルタ３Ｂの枠体３Ｂｐ，３Ｂｃ，３Ｂｑ，３Ｂｄは、中性能フィルタ３Ｂの４つの側面部に密着するようにして保持している。
ガスケットパッキン３Ｃは、枠状の部材であり、中性能フィルタ３Ｂの他方の面側に配置されている。これにより、プレフィルタ３Ａは上流側のダクトに近い位置にあり、ガスケットパッキン３Ｃは下流側のダクトに近い位置にある。
【００１９】
図５は、図１と図３（Ａ）に示す扉固定部６の構造例を示している。
図５に示す扉固定部６は、ハンドル９と、このハンドル９を受けるハンドル受け１０を有している。ハンドル９は、把持部１２と挿入部１３を有している。把持部１２は、中心軸１１を介して点検扉５に対して回転操作可能に取り付けられている。ハンドル受け１０は、正面部２Ａに固定されている。
図５において、作業者が把持部１２を持って中心軸１１を中心としてＷ１方向に回転することで、挿入部１３はハンドル受け１０内にはめ込んで固定することができ、点検扉５は点検扉収納空間部４を閉鎖した状態を保持できる。逆に、作業者が把持部１２を持って中心軸１１を中心としてＷ２方向に回転することで、挿入部１３はハンドル受け１０内から外すことができ、点検扉５は点検扉収納空間部４を開放できる。
【００２０】
図６は、図２に示すケーシング２の内部構造と、ケーシング２内に配置されたフィルタ３を示す図である。
図２に示すように、ケーシング２内には、フィルタ保持手段１００と、フィルタ取付フレーム２３と、フィルタ装着機構部３０が配置されている。
【００２１】
フィルタ保持手段１００は、ケーシング２内にフィルタ３を挿入する際にフィルタ挿入方向Ｘ１（図１を参照）に沿って案内するために設けられている。フィルタ保持手段１００は、第１保持部材２１と、第２保持部材２２を有している。第１保持部材２１と第２保持部材２２は、Ｘ方向に沿って平行に配置され、しかも第１保持部材２１と第２保持部材２２は、Ｚ方向に関して間隔をおいて配置されている。
【００２２】
第１保持部材２１は上部側の側面部２Ｃの内面側に配置されている上側ガイド部材であり、フィルタ３の第１端部である枠体３Ａｐ，３Ｂｐをフィルタ挿入方向Ｘ１に沿って案内して保持する。しかも、第２保持部材２２は下部側の側面部２Ｄの内面側に配置されている下側ガイド部材であり、フィルタ３の第２端部である枠体３Ａｑ，３Ｂｑをフィルタ挿入方向Ｘ１に沿って案内して保持する。これにより、フィルタ３の枠体３Ａｐ，３Ｂｐと枠体３Ａｑ，３Ｂｑは、第１保持部材２１と第２保持部材２２によりフィルタ挿入方向Ｘ１に沿って容易に挿入し、あるいは容易に取り出すことができる。
【００２３】
図６に示すフィルタ取り付けフレーム２３は、フィルタ３のガスケットパッキン３Ｃを当接して密着させるための当接用部材の一例であり、四角形の枠状に形成されており、フィルタ３の装着時には、フィルタ３のガスケットパッキン３Ｃを押しつけて気密性を上げることができるようになっている。フィルタ取り付けフレーム２３は下流側に位置されており、側面部２Ｆの開口部８の周囲に形成されている。これにより、フィルタ３はケーシング２内のフィルタ取付フレーム２３に対して密着した状態を維持でき、フィルタ３のシール性を確保できる。
【００２４】
次に、フィルタ装着機構３０について、図２、図６〜図１２を参照して説明する。
図２と図６に示すように、フィルタ装着機構３０は、第１操作部３１と、第２操作部３２と、第１収納ボックス４１と、第２収納ボックス４２を有している。
図６に示すように、第１操作部３１は第１保持部材２１の下面側に設けられ、第２操作部３２は第２保持部材２２の上面側に設けられている。第１操作部３１と第１保持部材２１のユニットと、第２操作部３２と第２保持部材２２のユニットは、水平線ＨＬに関して上下対称形状を有しており、実質的に同じ構造を有している。第１操作部３１と第２操作部３２は対応する位置において向かい合っている。これにより、フィルタ３の枠体３Ａｐ，３Ｂｐと枠体３Ａｑ，３Ｂｑは、ケーシング２内においてそれぞれ確実に押し付けることで締め付けて固定できる。
【００２５】
図７は、第１操作部３１と第２操作部３２を代表する例として、第２操作部３２と第２保持部材２２と第２収納ボックス４２から成るユニットを示す斜視図である。図８は、第２操作部３２から第２収納ボックス４２を取り除いた状態を示す斜視図である。第１総長部３１と第２操作部３２と第１収納ボックス４１と第２収納ボックス４２は、フィルタ挿入方向Ｘ１に平行に配置されている。
図６に示す第１操作部３１と第１保持部材２１と第１収納ボックス４１から成るユニットは、第２操作部３２と第２保持部材２２と第２収納ボックス４２から成るユニットと実質的に同じ構成であるので、第２操作部３２と第２保持部材２２と第２収納ボックス４２から成るユニットの構造を、図７と図８を参照して説明する。
【００２６】
図８に示すように、第２操作部３２は、リンク固定板５０と、リンク可動レバー５１と、２つのリンクフレーム５２，５３と、スプリング５４と、押付リング５５とを備えている。ここで、リンク固定板５０は固定部材の一例である。リンク可動レバー５１は可動部材の一例である。押付リング５５は押付部材の一例である。リンク固定板５０と、リンク可動レバー５１は、フィルタ挿入方向Ｘ１に平行に配置されている。
【００２７】
第２操作部３２は、図７に示すようにカバーとしての第２収納ボックス４２内に収納されている。これにより、塵埃等が第２操作部３２のリンク固定板５０と、リンク可動レバー５１と、２つのリンクフレーム５２，５３と、スプリング５４に付着するのを防止している。また、第２収納ボックス４２を配置することで、使用者の手がフィルタ装着機構３０に当たらないようにすることができ、フィルタ装着機構３０の破損を防止できる。さらに、第２収納ボックス４２は、フィルタの挿入を行う場合のガイド部材としても機能する。
この第２収納ボックス４２は、ほぼ箱型の部材であり、図６に示すように第２保持部材２２の上面においてＸ方向に配置されている。図７に示すように、第２収納ボックス４２は押付リング５５を外部に露出させるための開口４２Ｐを有している。これにより、押付リング５５は第２収納ボックス４２から外側に出して、フィルタ３Ａの枠体３Ａｐ，３Ａｑに対して直接当接することができる。
【００２８】
図９は、リンク固定板５０と、リンク可動レバー５１と、２つのリンクフレーム５２，５３と、スプリング５４と、押付リング５５と、スペーサ５６を示す分解斜視図である。
図９に示すように、リンク固定板５０とリンク可動レバー５１は、帯状部材であり同じ幅Ｋを有しているが、リンク固定板５０の長さＬ２は、リンク可動レバー５１の長さＬ１に比べて短い。長さＬ１と長さＬ２の差の部分は、リンク可動レバー５１の延長部５７である。リンクフレーム５２，５３は、ほぼ同じ長さを有している。
押付リング５５とスペーサ５６はリング状部材である。リンク固定板５０は、図８に示すように、第２保持部材２２の上面２２Ｆに対して固定されているが、リンク可動レバー５１はリンク固定板５０上に積層され、しかもリンク可動レバー５１はリンク固定板５０上をＸ方向に移動可能である。
【００２９】
図９に示すように、リンク固定板５０は、３つの穴５０Ａ，５０Ｂ，５０Ｃを有している。これらの穴５０Ａ，５０Ｂ，５０Ｃは、ネジ６１，６２，６３を通すための穴であり、ネジ径に対応する内径を有する丸穴である。リンク固定板５０は、さらに１つの長丸穴５０Ｄを有している。長丸穴５０Ｄは、３つの穴５０Ａ，５０Ｂ，５０Ｃとは異なり、ネジ６４をＸ方向に動かせるように長穴になっている。
【００３０】
これに対して、リンク可動レバー５１は、１つの穴５１Ｄを有している。この穴５１Ｄは、ネジ６４を通すための穴であり。ネジ径に対応する内径を有する丸穴である。リンク可動レバー５１は、さらに３つの長丸穴５１Ａ、５１Ｂ、５１Ｃを有している。これらの長丸穴５１Ａ、５１Ｂ、５１Ｃは、それぞれネジ６１，６２，６３が通って、それぞれネジ６１，６２，６３を相対的にＸ方向に動かせるようにするために長穴になっている。
【００３１】
長丸穴５０Ｄと長丸穴５１Ａ、５１Ｂ、５１Ｃは、Ｘ方向に沿って形成されており、同じストロークを有している。リンクフレーム（第１リンクフレーム）５２は、第１端部５２Ｐと第２端部５２Ｑを有している。第１端部５２Ｐには穴５２Ａを有し、第２端部５２Ｑには穴５２Ｂを有している。同様にして、リンクフレーム（第２リンクフレーム）５３は、第１端部５３Ｐと第２端部５３Ｑを有している。第１端部５３Ｐには穴５３Ａを有し、第２端部５３Ｑには穴５３Ｂを有している。
また、図９に示すように、第２保持部材２２は、ネジを通すための丸い穴２１Ａ、２１Ｂ、２１Ｃと長丸穴２１Ｄを有している。
【００３２】
これにより、図９に示すように、ネジ６５は、リンクフレーム５３の穴５３Ａと押付リング５５の穴５５Ａとリンクフレーム５２の穴５２に通して、ナット６５Ｎにねじ込まれている。ネジ６４は、第２保持部材２２の長丸穴２１Ｄとリンク固定板５０の長丸穴５０Ｄとリンク可動レバー５１の穴５１Ｄとスペーサ５６の穴５６Ａとリンクフレーム５２の穴５２Ｂを通して、ナット６４Ｎにねじ込まれている。ネジ６３は、第２保持部材２２の穴２１Ｃとリンク固定板５０の穴５０Ｃとリンク可動レバー５１の長丸穴５１Ｃとリンクフレーム５３の穴５３Ｂを通して、ナット６３Ｎにねじ込まれている。
【００３３】
ネジ６１は、第２保持部材２２の穴２１Ａとリンク固定板５０の穴５０Ａとリンク可動レバー５１の長丸穴５１Ａを通して、ナット６１Ｎにねじ込まれている。ネジ６２は、第２保持部材２２の穴２１Ｂとリンク固定板５０の穴５０Ｂとリンク可動レバー５１の長丸穴５１Ｂを通して、ナット６２Ｎにねじ込まれている。
また、スプリング５４は、リング可動レバー５１の付勢部材の一例であり、スプリング５４は、リンク可動レバー５１の内端部と、第２保持部材２２の上面２２Ｆに固定されたピン２２Ｐと、の間に取り付けられている。
【００３４】
これにより、図８に示すように、リンク可動レバー５１の延長部５７が、フィルタ挿入方向Ｘ１に沿って押されることにより、リンク可動レバー５１はスプリング５４の力に抗して、リンク固定板５０に対して移動可能である。リンク可動レバー５１がリンク固定板５０に対して移動することにより、図９に示すネジ６４がフィルタ挿入方向Ｘ１に押されるので、リンクフレーム５２，５３の間隔が縮まる。従って、図８に示すように、押付リング５５が所定ストローク分だけＹ１方向に移動できるようになっている。また、リンク可動レバー５１の延長部５７がフィルタ挿入方向Ｘ１に押されなくなり開放されると、スプリング５４の力がリンク可動レバー５１をＸ２方向に押し戻して、図８に示す初期の状態に戻すことができる。
【００３５】
次に、図１０を参照して、リンク可動レバー５１の延長部５７をフィルタ挿入方向Ｘ１に押すための押圧部材７０について説明する。図１０は、下側の第２操作部３２と第２保持部材２２と第２収納ボックス４２から成るユニットを代表して示す斜視図である。しかし、図６に示すように、上側の第１操作部３１と第１保持部材２１と第１収納ボックス４１から成るユニットは、下側の第２操作部３２と第２保持部材２２と第２収納ボックス４２から成るユニットと同様な構造を有している。
これにより、フィルタ３の第１端部である枠体３Ａｐ，３Ｂｐと第２端部である枠体３Ａｑ，３Ｂｑは、第１保持部材２１と第２保持部材２２によりフィルタ挿入方向Ｘ１に沿って容易に挿入し、あるいは容易に取り出すことができる。そして、フィルタ３の第１端部である枠体３Ａｐ，３Ｂｐと第２端部である枠体３Ａｑ，３Ｂｑは、ケーシング２内において押付部材である押付リング５５によりそれぞれ確実に押し付けることで締め付けて固定できる。
【００３６】
図４（Ａ）に示すように、点検扉５は、上部側の押圧部材７０と、下部側の押圧部材７０を有している。図１０では、下部側の押圧部材７０を代表して示しており、上部側の押圧部材７０と下部側の押圧部材７０は同じ形状を有する突起である。図１０に示すように、押圧部材７０は、Ｙ−Ｚ平面に平行に突出して形成されている。一方、リンク可動レバー５１の延長部５７は、Ｘ−Ｙ平面に平行に突出して形成されている。これにより、押圧部材７０がリンク可動レバー５１の延長部５７に当接する場合には互いに直交する状態で当たることになり、押圧部材７０は確実に延長部５７を押すことができる。
【００３７】
点検扉５は、ヒンジ７１により回転軸ＣＬを中心としてＲ方向に回転可能に支持されている。
使用者が点検扉５をＲ方向に回転させて点検扉収納空間部４を閉鎖すると、この押圧部材７０が、対応する位置にあるリンク可動レバー５１の延長部５７をフィルタ挿入方向Ｘ１に押圧することができる。このように下部側の押圧部材７０が、対応する位置にあるリンク可動レバー５１の延長部５７をフィルタ挿入方向Ｘ１に押圧する構造は、図４（Ａ）に示す上部側の押圧部材７０が、対応する位置にあるリンク可動レバー５１の延長部５７をフィルタ挿入方向Ｘ１に押圧する構造と同じである。
【００３８】
次に、上述したフィルタ装置１のケーシング２内にフィルタ３を挿入して締め付けて固定する操作と、さらにフィルタ３の交換操作について順に説明する。
まず、ケーシング２内にフィルタ３を挿入して締め付けて固定する操作を説明する。
図１に示すように点検扉５が点検扉収納空間部４を閉鎖している状態から、図２に示すように、作業者が点検扉５をＲ方向に開けて点検扉収納空間部４を開いて、ケーシング２内を開放する。すなわち、作業者が、図５に示す把持部１２を持って中心軸１１を中心としてＷ２方向に回転することで、挿入部１３はハンドル受け１０内から外して、点検扉５は点検扉収納空間部４を開放することができる。
そして、作業者はフィルタ３を、点検扉収納空間部４を通じて第１保持部材２１と第２保持部材２２との間に、フィルタ挿入方向Ｘ１に沿って挿入する。このように、点検扉５が開いている状態では、図２と図１０に示す点検扉５の上下の押圧部材７０，７０は、対応する上下位置のリンク可動レバー５１の延長部５７から離れている。
【００３９】
図１１は、フィルタ３を締め付ける前の状態を示している。図１２は、フィルタ３を締め付けた後の状態を示している。
図１１では、点検扉５の上下の押圧部材７０，７０は、対応する上下位置のリンク可動レバー５１の延長部５７から離れている状態を示しており、リンク可動レバー５１の延長部５７は、スプリング５４の押す力により、Ｘ２方向に押されて、各長丸穴５１Ａ，５１Ｂ，５１Ｃ，５０Ｄの長さ分（フィルタ挿入方向Ｘ１のストローク分）だけ最も突出した状態に位置されている。
図１１に示すように、フィルタ３を第１保持部材２１と第２保持部材２２との間に挿入した状態では、フィルタ３のプレフィルタ３Ａの枠体３Ａｐ、３Ａｑの前面３Ａｆと押付リング５５との間には、初期のスペースＳＳが形成されている。また、フィルタ３のガスケットパッキン３Ｃがフィルタ取付フレーム２３に接している。この初期の設定スペースＳＳは、例えば３ｍｍである。
【００４０】
次に、作業者が、図１２に示すように、点検扉５を閉めて点検扉収納空間部４を閉鎖すると同時に、点検扉５の上下の押圧部材７０，７０は、対応する上下のリンク可動レバー５１の延長部５７をフィルタ挿入方向Ｘ１に押すことで、リンク可動レバー５１は、ストロークＳＫだけスプリング５４の力に抗して、リンク固定板５０に対してフィルタ挿入方向Ｘ１に移動する。このストロークＳＫは、例えば４．９ｍｍであり、上記設定スペースＳＳよりも大きく設定されている。ストロークＳＫは、各長丸穴５１Ａ，５１Ｂ，５１Ｃ，５０Ｄの長さ分に相当する。
【００４１】
これにより、図１１に示すリンクフレーム５２の第２端部５２Ｑと，リンクフレーム５３の第２端部５３Ｑとの間隔Ｇ１が図１２に示すように間隔Ｇ２に縮まるので、押付リング５５が所定ストローク分だけＹ１方向に前進移動できる。これにより、押付リング５５はフィルタ３のプレフィルタ３Ａの枠体３Ａｐ、３ＡｑをＹ１方向に押し付けるので、フィルタ３のガスケットパッキン３Ｃがフィルタ取り付けフレーム２３に対して密着される。
このように、作業者が点検扉５を開けてフィルタ３を挿入した後に点検扉５を閉めて、図５に示すように、作業者が把持部１２を持って中心軸１１を中心としてＷ１方向に回転することで、挿入部１３はハンドル受け１０内にはめ込むことができ、点検扉５は点検扉収納空間部４を閉鎖できる。
【００４２】
そして、作業者は把持部１２を持って回動して固定するだけで、フィルタ３は、ケーシング２内においてワンタッチで締め付けて固定することができ、構造が簡単化でき部品点数の削減が図れるとともに、装着作業の簡易化を図ることができる。
従来例のように高性能フィルタをスタッドボルト方式あるいは偏心カム方式で強く締め付けるのに比べて、本発明のフィルタ装置１では、フィルタ３のガスケットパッキン３Ｃを押しつぶして気密性を確保する必要はなく、ガスケットパッキン３Ｃがフィルタ３の装着面であるフィルタ取付フレーム２３に対して密着できる程度とするだけで十分な気密性が得られる。
【００４３】
上述したのはフィルタ装置１のケーシング２内にフィルタ３を締め付けて固定する操作であるが、さらに使用済みのフィルタ３を新しいフィルタ３に交換する操作について説明する。
図１に示すフィルタ装置１のケーシング２内にフィルタ３を締め付けて固定する場合には、作業者が、図５に示す把持部１２を持って中心軸１１を中心としてＷ２方向に回転することで、挿入部１３はハンドル受け１０内から外すことができ、点検扉５は点検扉収納空間部４を開放する。点検扉５を開けることで、図１２の状態から図１１の状態で示すように、点検扉５の上下の押圧部材７０，７０は、対応する上下のリンク可動レバー５１の延長部５７から離れる。従って、リンク可動レバー５１は、スプリング５４の力により、リンク固定板５０に対してストロークＳＫだけＸ２方向に移動する。
【００４４】
このため、図１１に示すように、フィルタ３を第１保持部材２１と第２保持部材２２との間に挿入した状態で、押付リング５５はフィルタ３から後退して離れて、フィルタ３のプレフィルタ３Ａの枠体３Ａｐ、３Ａｑの前面３Ａｆと押付リング５５との間には、初期のスペースＳＳが再び形成される。従って、作業者が、ケーシング２内の使用済みのフィルタ３を、第１保持部材２１と第２保持部材２２との間から簡単に取り出すことができる。
【００４５】
その後、すでに説明したよう要領に従って、作業者は新しいフィルタ３を、点検扉収納空間部４を通じて第１保持部材２１と第２保持部材２２との間に、フィルタ挿入方向Ｘ１に沿って挿入する。このように、点検扉５が開いている状態では、図２と図１０に示す上下の押圧部材７０，７０は、対応する上下のリンク可動レバー５１の延長部５７から離れている。
図１１に示すように、フィルタ３を第１保持部材２１と第２保持部材２２との間に挿入した状態では、フィルタ３の枠体３Ｄの前面３Ｆと押付リング５５との間には、初期のスペースＳＳが形成されている。また、フィルタ３のガスケットパッキン３Ｃがフィルタ取付フレーム２３に接している。
【００４６】
次に、作業者が、図１２に示すように、点検扉５を閉めて点検扉収納空間部４を閉鎖すると同時に、点検扉５の上下の押圧部材７０，７０は、対応する上下のリンク可動レバー５１の延長部５７をフィルタ挿入方向Ｘ１に押すことで、リンク可動レバー５１は、ストロークＳＫだけスプリング５４の力に抗して、リンク固定板５０に対してフィルタ挿入方向Ｘ１に移動可能である。
これにより、リンクフレーム５２，５３の間隔が縮まるので、押付リング５５が所定ストローク分だけＹ１方向に移動できる。押付リング５５はフィルタ３の枠体３ＤをＹ１方向に押し付けるので、フィルタ３のガスケットパッキン３Ｃがフィルタ取付フレーム２３に密着される。
【００４７】
このように、作業者が点検扉５を開けてフィルタ３を挿入して、点検扉５を閉めて、図５に示すように、作業者が把持部１２を持って中心軸１１を中心としてＷ１方向に回転することで、挿入部１３はハンドル受け１０内にはめ込むことができ、点検扉５は点検扉収納空間部４を閉鎖できる。
【００４８】
上述した本発明の実施形態では、フィルタの第１端部と第２端部は、第１保持部材と第２保持部材によりフィルタ挿入方向に沿って容易に挿入し、あるいは容易に取り出すことができる。そして、フィルタの第１端部と第２端部は、ケーシング内において押付部材によりそれぞれ確実に押し付けることで締め付けて固定できる。
簡単な構造でありながら、フィルタをケーシング内にフィルタ挿入方向に沿って挿入して扉を閉めるだけで、フィルタは、ケーシング内において押付部材によりそれぞれ確実に押し付けることで締め付けて固定できる。
【００４９】
扉固定部は、扉を閉めた状態を維持することができ、フィルタは、ケーシング内において押付部材によりそれぞれ確実に押し付けることで締め付けて固定する状態を維持できる。フィルタはケーシング内のフィルタ取付フレームに対して密着した状態を維持でき、フィルタのシール性を確保できる。
本発明のフィルタ装置１では、ビル空調、工場空調などの数ヶ月サイクルと交換頻度の高い粗塵・中性能フィルタ３が容易に着脱でき、フィルタの交換作業性が向上できる。しかも、多数のフィルタ装置１が工場等の取り付け対象建物に装着されている場合には、特にフィルタの交換作業性が向上できる。
【００５０】
本発明の各実施形態は、任意に組み合わせることができる。
ところで、本発明は上記実施形態に限定されず、種々の変形例を採用することができる。
フィルタ装着機構３０のネジとナットに代えて、リベットを用いることもできる。複数のフィルタがフィルタ挿入方向にそって縦列に配置される場合には、押付リングは、フィルタ挿入方向に沿って間隔をおいて２つ以上配置して、各押付リングが対応するフィルタを押し付けるようにしても良い。
フィルタ装置のケーシングは、例えば上流側のダクトと、このダクトに直交する方向に空気を流す下流側のダクトの間に配置するようにしても良い。フィルタ装置のケーシングは、ダクトの途中に配置するのではなく、ダクトの先端部に配置するようにしても良い。フィルタ装置のケーシングの上流側には、ダクトを接続し、しかもフィルタ装置のケーシングの下流側には、ファンを配置しても良い。
例えば、本発明の実施形態では、図６に示すフィルタ３はプレフィルタ３Ａと中性能フィルタ３Ｂを組み合わせて構成されているが、これに限定されることなく中性能フィルタ３Ｂだけを使用することもできる。
本発明のフィルタ装置１は、主にビル空調、工場空調などのプレフィルタ３Ａと中性能フィルタ３Ｂをユニットすることで構成されたフィルタ３を装着するのに適用できるが、フィルタ装着機構の圧着力や気密性能等を適宜調整することによって、本発明のフィルタ装置は、高性能フィルタを装着するのにも適用することができる。
【００５１】
また、フィルタ装着機構３０は、図２等に示す例では、上側の第１操作部３１と下側の第２操作部３２を備えているが、これに限らず構造の簡単化のために、どちらか一方だけを採用するようにしても良い。
本発明のフィルタ装置の実施形態で使用される点検扉５のような扉である扉としての点検扉２、ケーシング２、フィルタ装着機構３０、フィルタ取付フレーム２３等の部品の材質としては、例えばガルバニウム鋼板、メッキ鋼板（亜鉛、アルミ合金）、ステンレスを使用し、無溶接でリベット構造とすることで無塗装とすることができる。
本発明のフィルタ装置は、図示例では例えば建物の壁部に対して垂直に設定されている例を示しているが、これに限らず例えば建物の天井に水平に設定されても良い。図８に示す付勢部材であるスプリング５４は、取り除くこともできる。
【００５２】
本発明のフィルタ装置の実施形態で使用するガスケットパッキン３Ｃは、通常使用される単独気泡タイプのクロロプレンゴムなど使用できるが、５０％圧縮応力が８０ｋＰａ未満（ＪＩＳ Ｋ６７６７準拠）であり、かつ、開放気泡率が９０％以下（ＡＳＴＭ Ｄ２８５６−９４準拠）の発泡体を含むガスケットを用いることができる。
これにより、低圧力で締付けを行いフィルタ取付フレーム（フィルタ取付枠）２３に対して取り付ける場合でも、フィルタ取付枠の形状に沿ってガスケットパッキン３Ｃが変形するので、従来のクロロプレンゴム製ガスケットを使用したスタッドボルト方式や偏心カム方式のように大きいトルクで変形しなくても、締付の際にはガスケットパッキン３Ｃとフィルタ取付フレーム２３との間の気密性が確保できる。
【符号の説明】
【００５３】
１・・・フィルタ装置、２・・・ケーシング、３・・・フィルタ、４・・・点検扉収納空間部（開口部の一例）、５・・・点検扉（扉の一例）、６・・・扉固定部、２１・・・第１保持部材、２２・・・第２保持部材、２３・・・フィルタ取付フレーム（当接用部材の一例）、３０・・・フィルタ装着機構部、３１・・・第１操作部、３２・・・第２操作部、４１・・・第１収納ボックス、４２・・・第２収納ボックス、５０・・・リンク固定板（固定部材の一例）、５１・・・リンク可動レバー（可動部材の一例）、５２，５３・・・リンクフレーム、５４・・・スプリング、５５・・・押付リング（押付部材の一例）、７０・・・押さえ部材、１００・・・フィルタ保持手段、Ｘ１・・・フィルタ挿入方向
【図１】
2011020095.tif 000003
【図２】
2011020095.tif 000004
【図３】
2011020095.tif 000005
【図４】
2011020095.tif 000006
【図５】
2011020095.tif 000007
【図６】
2011020095.tif 000008
【図７】
2011020095.tif 000009
【図８】
2011020095.tif 000010
【図９】
2011020095.tif 000011
【図１０】
2011020095.tif 000012
【図１１】
2011020095.tif 000013
【図１２】
2011020095.tif 000014